(57)【要約】      （修正有）【課題】従来の椅子は人間工学的に、腰かける動作が主であった椅子を、携帯用トイレに使用、或いは、浴室用、洗体作業、性行為等に使用できる様にするとともに、コンパクトで錆びにくく、且つ、丈夫にする。【解決手段】人間工学的に椅子に腰かける動作は、臀部の両端の膨らみの部分に体重が掛かる。即ち、椅子の座の部分は、図示の２枚の帯状の形４で十分、支えられる、又、体格に合わせる為に図示の２枚の帯状、及び、足の長さ調節が出来る形、素材をステンレス鋼、等、の錆び難く丈夫な素材を使用する。【選択図】図１
2016055143.tif 000002
【特許請求の範囲】
【請求項１】
人間工学的にシンプルで強固、然も、高低、或いは、臀部が接する部分がベルト式で伸縮が自由に調節が出来る、殆どの体格に適合、又、床面に垂直に微調整出来る、即ち、キャスターが円滑に作動する、然も、折り畳み式で携帯が出来る、万能椅子。
【請求項２】
［図２０］［図２１］［図２２］に図示の符号５詳細図５−１の作動用の球体を鋼鉄、等、硬い素材からゴムのような弾力のある素材に取り変え二重ナットを締め付ける事で、車椅子から、固定の椅子に又［図３０］［図３１］に図示の板を取り付ければ、マット上に置ける形になり、前述と同じく高低の微調整も出来る形状。
【発明の詳細な説明】
【発明の詳細な説明】
【技術分野】
【０００１】  本発明は人間工学的にシンプルで頑丈な構造であり、用途は多彩で、普通の折り畳み椅子は勿論、［図２６］携帯用トイレの姿図、［図２７］介護の時の洗体作業をしている時の自分で下腹部を楽に洗える所の姿図、［図２９］は性行為の姿図、特に中高年層の体力の減退、腰痛、等を軽減する、即ち、セックスレス等を減少させる効果、等。
【背景技術】
【０００２】  従来、の椅子は座るだけの機能のもが主であった。
【発明を実施するための形態】
【０００３】  本発明は椅子としての機能は勿論、携帯用トイレに使用、介護時の洗体作業に使用、性行為に使用。
【発明の効果】
【０００４】  人間工学、其の物で、椅子としての機能は勿論、それを姿図等で説明すれば、［図２６の姿図］は携帯用トイレ使用時。［図２７の姿図］は介護時の洗体作業に使用時。［図２９の姿図］は性行為時。何れも人間の身体的、心理的特性に適合、即ち、人間工学的に腰に掛かる負担を軽減する器具である
【図面の簡単な説明】
【図１】万能椅子の正面図。『図示の寸法は、大体の目安である。Ｓ．Ｍ．Ｌ．ＬＬ．等の人の体格により異なる。』
【図２】万能椅子の側面図。
【図３】万能椅子の平面図。
【図４】万能椅子の底面図。
【図５】万能椅子の斜視図。
【図６】万能椅子の折り畳む途中の側面図。［符号の説明と詳細図］『以下の図示の詳細図等の倍率は不定で形のみの詳細図』
【図７】［符号１の詳細図］二重の蝶ネジナットとボルト、ワッシャー、パイプ状の座金、止め栓の姿図。
【図８】［Ａ−Ａ｀線断面図］『二重の蝶ナットが緩んで無くならない為の（符号１−４）の補助器具が取り付けられた所の姿図。』
【図９】符号１−４  ロックピンの姿図
【図１０】符号１−５のパイプ状の座金と符号１−２と１−３の座金の姿図。図面上の符号２と符号３が、がたつきが無く、円滑に動く長さ、又、パイプ構造、等の場合ボルト、ナットの締め具合で、パイプ等が歪む、潰れる、等を防ぐ作用。又、後に記述の［図３２］で多方面での使用で説明。
【図１１】符号１のボルト、二重蝶ナットにより組み立てられた所と符号２及び符号３の線断面図の位置図。
【図１２】符号２及び符号３の斜視図
【図１３】『図１２のＢ−Ｂ｀線断面図』斜線部分の素材は、多少の弾力性と圧縮強度を兼ね備えた、素材。例えば、プラスチック、或いはアルミニウム等がパイプの内径にしっくり入る大きさの物の姿図。上記はパイプ曲げ加工時、歪む、潰れる等を軽減する、即ち、金属疲労の軽減。（パイプ曲げ加工時の技術の進化で不要となる場合もある。）
【図１４】『図１２のＣ−Ｃ｀線断面図』『符号２及び符号３のパイプの接し面を適度に広くする事と軸になる符号１のボルトを適度の径にする事で、滑らかな動きと、構造的にがたつき等を軽減し、然も、形を持続する所の線断面図』当然、中身の素材は絵図と同じ削った物である。
【図１５】『符号４の断面図』
【図１６】『符号４の平面図』
【図１７】『符号４の改良図の断面図』［図１５］［図１６］が人間工学的に納まりが悪い時の改良図。
【図１８】［図１７］の平面図。
【図１９】［図１７］の長座金の側面図。ベルトの収納器は上下どちらでも取り付けられる所の側面図。又、中央部が心持厚い所の側面図。
【図２０】『符号５の姿図』ナットの表面は山形状で滑り止め加工を施した形。
【図２１】『符号５のＤ−Ｄ｀線断面図』潤滑油の代用に棒状の蝋をバネで押す途中の姿図。
【図２２】『符号５のＤ−Ｄ｀線断面図』［図２１］と同じ図面でバネを退けた図面、［図２１］に対して、液体洗剤を、タンク及びフエルトに染み込まして、潤滑油の代用とした所の姿図。浴室等に最適である。潤滑油でも良い。
【図２３】『Ｅ−Ｅ｀の線断面図』符号６の蝶ネジのナット部分を符号２及び符号３のパイプに溶接固定し、符号５の一つ球キャスターを所定の位置に取り付けた所の断面図
【図２４】符号６のナットの部分が溶接が難しい、或いは、歪みが生じる場合の時の、改良した所の斜視図。
【図２５】符号７の簡単な斜視図。
【図２６】『万能椅子をトイレ用として使用している所の姿図』『簡単な説明、』大きめの普通のレジ袋（ビニール袋）を便座の上に置くだけで良い、凝固剤、消臭剤があれば尚良い。簡単な隠れ蓑として、ブルーシート或いは、ポンチョがあれば良い。携帯用のトイレとして、使用している姿図。
【図２７】『万能椅子を洗体作業に使用している所の姿図』『簡単な説明、』介護を受けている人の万能椅子は［図２０］符号５−１の球の部分をゴム等に使用、締め付けて、滑らない、固定用の椅子に、ぐらつく場合は符号５の一か所の上下の調節で安定。介護する人は、次の［図２８］のターンバックルを本体と垂直に成る様に装着、タイル等の凹凸を回避する為に、大きめの車輪のキャスターを使用している所の姿図。
【図２８】『符号８の姿図』
【図２９】『性行為、等の簡単な姿図』上側♀の体型に合わせる為に符号４のベルトの長さ調整。下側♂は符号５のナットで上下を微調節、或いは、厚めの敷布団から薄めの毛布、等に変える事で上下を調節出来る。一番下の敷物は大体の大きさ縦９０ｃｍ横９０ｃｍ厚み１ｃｍのベニヤ板（合板）素材はプラスチック板でも良い。その板の上を万能椅子が１５ｃｍから２５ｃｍ位、自由に動かせる事が出来る。上側の人は足で、下側の人は手で、動かす事が出来る等の姿図。
【図３０】『万能椅子に、プラスチック板、等を取り付けた所の斜視図。』
【図３１】『［図３０］の側面図で、符号５−１の球の素材をゴム等を使用し締め付ければ、固定椅子、鋼鉄或いはステンレス等を使用、締め加減で動かせる椅子にもなる。布団、エア．マット、の上にのせて使用しても、大丈夫な所の姿図。』
【図３２】『アルミの角パイプにアングルと筋交用の長平板（フラットバー）を座金とパイプ状の（座金）とボルトナットで締め付けた所の姿図。（ボルトナット）が繋ぎ合わせる部品。即ち、ジョイント或いは継手となる所の姿図。』他にジョイント或いは継手となる専用のクランプ等はあるが、［図１０］符号１−５パイプ状の座金の使用で十分素材を生かした継手と成る所の説明の図。下記に簡単に例  エクステリア、住居の外側、外観、庭や門扉、フェンスや生け垣など、住宅の外回りの景観を構成するものの総称。代表的なものに車庫、テラス、ベランダ、等、素材はアルミ製のものが多いようで、そのアルミは美的で軽量で錆びにくい利点はあるが、素材としては、脆い面がある。例えば、上記のアルミの角パイプにボルトの径より稍、小さい穴を開け、同じアルミのボルト或いはビスをタップを立てずに無理やり捩じ込む事で、継手としている事が多い。即ち、天ぷら工事、ネジを外す事は先ず無理である。殆どがねじ切れる、金属疲労も甚だしい、強風、地震等で外れやすい、即ち、倒壊である。
【図１】
2016055143.tif 000003
【図２】
2016055143.tif 000004
【図３】
2016055143.tif 000005
【図４】
2016055143.tif 000006
【図５】
2016055143.tif 000007
【図６】
2016055143.tif 000008
【図７】
2016055143.tif 000009
【図８】
2016055143.tif 000010
【図９】
2016055143.tif 000011
【図１０】
2016055143.tif 000012
【図１１】
2016055143.tif 000013
【図１２】
2016055143.tif 000014
【図１３】
2016055143.tif 000015
【図１４】
2016055143.tif 000016
【図１５】
2016055143.tif 000017
【図１６】
2016055143.tif 000018
【図１７】
2016055143.tif 000019
【図１８】
2016055143.tif 000020
【図１９】
2016055143.tif 000021
【図２０】
2016055143.tif 000022
【図２１】
2016055143.tif 000023
【図２２】
2016055143.tif 000024
【図２３】
2016055143.tif 000025
【図２４】
2016055143.tif 000026
【図２５】
2016055143.tif 000027
【図２６】
2016055143.tif 000028
【図２７】
2016055143.tif 000029
【図２８】
2016055143.tif 000030
【図２９】
2016055143.tif 000031
【図３０】
2016055143.tif 000032
【図３１】
2016055143.tif 000033
【図３２】
2016055143.tif 000034